(57)【特許請求の範囲】
【請求項１】
内部に携帯電話（１）が収容可能に前記携帯電話（１）の外形と同じ形状の空間が形成され、収容される前記携帯電話（１）を密着して覆うようにポリウレタン材質からなり、上端面に前記携帯電話（１）が挿脱可能な収容孔（２０）が穿設されるカバー体（１０）と、
前記カバー体（１０）の上端面に繰り返し貼り剥がし可能であり、前記収容孔（２０）を開閉する粘着体（３０）と、
を備え、
前記収容孔（２０）は、内側に湾曲した曲線部（２３）と、前記曲線部（２３）同士が遭遇する個所に形成される丸みを帯びた拡張部（２５）と、を備える携帯電話用防水カバー。
【請求項２】
前記粘着体（３０）の下外側面に延設されて前記収容孔（２０）を開閉可能に、前記カバー体（１０）の前記収容孔（２０）の外側部位に繰り返し貼り剥がし可能なフィルム材質の拡張体（４０）が配設されることを特徴とする請求項１に記載の携帯電話用防水カバー。
【請求項３】
内部に携帯電話（１）が収容可能な空間が形成され、前記携帯電話（１）の収容時に前記携帯電話にくっつかないようにエンボス模様（１１１）が陰刻形状で刻まれ、収容された前記携帯電話（１）に形成されるカメラの部位には外部が透視可能な透明体（１２０）が形成され、上端面に前記携帯電話（１）が挿脱可能な収容孔（１１３）が穿設されるカバー体（１１０）と、
前記カバー体（１１０）に穿設された前記収容孔（１１３）の上端面に繰り返し貼り剥がし可能であり、前記収容孔（１１３）を開閉する粘着体（１３０）と、
を備え、
前記収容孔（１１３）は、内側に湾曲した曲線部と、前記曲線部同士が遭遇する個所に形成される丸みを帯びた拡張部と、を備える携帯電話用防水カバー。
【請求項４】
内部に携帯電話（１）が収容可能な空間が形成され、前記携帯電話（１）の収容時に前記携帯電話（１）にくっつかないようにエンボス模様（１１１）が陰刻形状で刻まれ、収容された前記携帯電話（１）に形成されるカメラの部位に開放される開放溝（１１８）が凹設され、上端面に前記携帯電話（１）が挿脱可能な収容孔（１１３）が穿設されるカバー体（１１０）と、
外部が透視可能な透明材質から形成されるが、前記カバー体（１１０）と同様に前記携帯電話（１）が挿脱可能に前記カバー体（１１０）の前記収容孔（１１３）と同じ形状の挿入孔（１２３）が穿設されて前記カバー体（１１０）の上側に縫着される透明体（１２０）と、
前記透明体（１２０）に穿設された前記挿入孔（１２３）の上端面に繰り返し貼り剥がし可能であり、前記挿入孔（１２３）を開閉する粘着体（１３０）と、
を備え、
前記カバー体（１１０）の前記収容孔（１１３）および前記透明体（１２０）の前記挿入孔（１２３）は、互いに同じ形状を有し、且つ、内側に湾曲した曲線部（１１４、１２４）と、前記曲線部（１１４、１２４）が遭遇する部位に形成される丸みを帯びた拡張部（１１５、１２５）と、をそれぞれ備えることを特徴とする携帯電話用防水カバー。
【請求項５】
前記カバー体（１１０）の下側に収容された前記携帯電話（１）に形成される前記カメラの部位に開放される開放溝（１１８）が凹設され、外部が透視可能な透明材質から形成される前記透明体（１２０）が前記カバー体（１１０）の下側に縫着されることを特徴とする請求項４に記載の携帯電話用防水カバー。
【請求項６】
前記開放溝（１１８）は、前記カバー体（１１０）の表面に多数凹設されることを特徴とする請求項５に記載の携帯電話用防水カバー。
【発明の詳細な説明】
【技術分野】
【０００１】
本発明は携帯電話に水が浸入することを防止する携帯電話用防水カバーに係り、特に、柔軟性に優れたポリウレタン材質からなる携帯電話状のカバー体に携帯電話の収容を図る収容孔が穿設されるとともに、前記収容孔を開閉する粘着体が設けられて携帯電話用防水カバーが構成されることにより、収容された携帯電話をカバー体が密着して覆うことができ、且つ、カバー体にはエンボス模様が形成されるが、収容された携帯電話に形成されたカメラの部位には透明な材質からなる透明体が形成される携帯電話用防水カバーに関する。
【背景技術】
【０００２】
一般に、携帯電話は、移動中に基地局を介して一般電話加入者または他の移動通信電話機と通話可能な装置であり、最近には音楽の再生機能およびカメラ機能に加えて、テレビの視聴機能や簡単なインターネット検索機能など各種の機能が実装されることにより現代人にとって必要不可欠なものと考えられている。
【０００３】
これらの各種の機能を行うために、携帯電話の内部に電子基板および電気回路などが組み込まれているが、携帯電話の内部に水が流入すれば電子基板および電気回路に水による腐食が発生し、且つ、濡れた状態の電子基板および電気回路に電流が印加されれば過電圧が発生して携帯電話の内部部品の損傷をもたらす場合が頻発していた。
【０００４】
このため、携帯電話を携帯した状態では水泳場や海水浴場などで安全に使用することができず、しかも、個人の不注意により携帯電話が水濡れ・水没してしまったときには携帯電話の故障が必然的に発生するといった欠点が従来から問題視されていた。
【０００５】
このような欠点を補完するために、最近では、携帯電話を防水化することができる防水装置が絶えず開発されつつある。前記防水装置は、大体において、携帯電話を収容するビニール材質のケースが形成され、前記ケースの一方側にケースの内部を密閉する開閉手段が形成されて、ケースに携帯電話を収容し、開閉手段をロックして携帯電話を外部から遮断して密封することにより、携帯電話を携帯したままで水泳場や海水浴場に入ったり携帯電話を水中に落としたりしても携帯電話の内部に水が浸入するような現象が防止されていた。
【発明の概要】
【発明が解決しようとする課題】
【０００６】
しかしながら、前記防水装置は、防水機能に限定されて携帯し難いため実用性に劣り、しかも、携帯電話のデザイン性を考慮しない形となっているため使用が忌避されるといった欠点があった。
【０００７】
また、前記防水装置は、ビニール材質のものであるため、例えば水泳場や海水浴場に入ったときに床面に擦り付けたり、尖った構造物に引っ掻かれたりすればひきちぎれ易くなる。そして、ひきちぎれた個所に水が流入して長時間水に浸されていれば、開閉手段に水が流入することにより、ケース内部の携帯電話に水が浸入して防水機能を行うことができない結果、その効用性が低下するといった欠点があった。
【０００８】
本発明は上記事情に鑑みてなされたものであり、その目的は、柔軟性に優れたポリウレタン材質からなる携帯電話状のカバー体に携帯電話の収容を図る収容孔が穿設されるとともに、前記収容孔を開閉する粘着体が設けられて携帯電話用防水カバーが構成されることにより、携帯電話の携行性を損なわずに携帯電話を安定的に防水することが可能な、新規かつ改良された携帯電話用防水カバーを提供することにある。
【課題を解決するための手段】
【０００９】
上述の目的は、本発明において提供される下記の構成によって達成される。
【００１０】
本発明に係る携帯電話用防水カバーの第１の実施形態は、内部に携帯電話が収容可能に携帯電話の外形と同じ形状の空間が形成され、収容される携帯電話を密着して覆うようにポリウレタン材質からなり、上端面に携帯電話が挿脱可能な収容孔が穿設されるカバー体と、前記カバー体の上端面に繰り返し貼り剥がし可能であり、収容孔を開閉する粘着体と、を備えることを特徴とする。
【００１１】
また、本発明に係る携帯電話用防水カバーは、前記粘着体の下外側面に延設されて収容孔を開閉可能に、カバー体の収容孔の外側部位に繰り返し貼り剥がし可能なフィルム材質の拡張体が配設される。
【００１２】
さらに、本発明に係る携帯電話用防水カバーにおいて、前記収容孔は、内側に湾曲した曲線部と、前記曲線部同士が遭遇する個所に形成される丸みを帯びた拡張部と、を備える。
【００１３】
本発明に係る携帯電話用防水カバーの第２の実施形態は、内部に携帯電話が収容可能な空間が形成され、携帯電話の収容時に携帯電話にくっつかないようにエンボス模様が陰刻形状で刻まれ、収容された携帯電話に形成されるカメラの部位には外部が透視可能な透明体が形成され、上端面に携帯電話が挿脱可能な収容孔が穿設されるカバー体と、前記カバー体に穿設された収容孔の上端面に繰り返し貼り剥がし可能であり、収容孔を開閉する粘着体と、を備えることを特徴とする。
【００１４】
また、本発明に係る携帯電話用防水カバーは、内部に携帯電話が収容可能な空間が形成され、携帯電話の収容時に携帯電話にくっつかないようにエンボス模様が陰刻形状で刻まれ、収容された携帯電話に形成されるカメラの部位に開放される開放溝が凹設され、上端面に携帯電話が挿脱可能な収容孔が穿設されるカバー体と、外部が透視可能な透明材質から形成されるが、前記カバー体と同様に携帯電話が挿脱可能にカバー体の収容孔と同じ形状の挿入孔が穿設されてカバー体の上側に縫着される透明体と、前記透明体に穿設された挿入孔の上端面に繰り返し貼り剥がし可能であり、挿入孔を開閉する粘着体と、を備えることを特徴とする。
【００１５】
さらに、本発明に係る携帯電話用防水カバーにおいて、前記カバー体の収容孔および透明体の挿入孔は、互いに同じ形状を有し、且つ、内側に湾曲した曲線部と、前記曲線部が遭遇する部位に形成される丸みを帯びた拡張部と、をそれぞれ備える。
【発明の効果】
【００１６】
本発明に係る携帯電話用防水カバーによれば、内部に携帯電話が収容されるカバー体がポリウレタン材質からなり、且つ、カバー体に繰り返し貼り剥がし可能な粘着体が形成されることから、ポリウレタン特有の伸びる性質によりカバー体そのものが弾性を有するため、収容孔が広く拡開されて携帯電話のカバー体への挿入が一層容易に行われ、カバー体に収容された携帯電話とカバー体との間の離隔空間が発生しないつつも、粘着体をカバー体の上端面に貼着して収容孔を密閉することにより、水がカバー体の内部に浸入する現象が防止されて携帯電話の安定的な防水がなされるという効果が奏される。
【００１７】
また、粘着体の下外側面にカバー体の収容孔の外側部位に繰り返し貼り剥がし可能なフィルム材質の拡張体が形成されることから、フィルム固有の柔軟性により収容孔への密閉力を向上させてカバー体の内部への水の流入を効率よく遮断することができるという効果がある。
【００１８】
さらに、前記収容孔は、内側に湾曲した曲線部と、前記曲線部同士が遭遇する個所に形成される丸みを帯びた拡張部と、を備えることから、曲線部の湾曲分だけ粘着体のカバー体の上端面への粘着面積が広くなってカバー体の内部を一層安全に密閉することができ、しかも、カバー体に力を加えるときに拡張部が拡張されて携帯電話のカバー体への挿入が容易に行われるという効果がある。
【００１９】
さらに、携帯電話が収容されるカバー体にエンボス模様が陰刻形状で刻まれ、収容された携帯電話に形成されたカメラの部位には透明な材質からなる透明体が形成されることから、エンボス模様が形成されたカバー体により収容された携帯電話にカバー体がくっつかなくなる結果、カバー体への携帯電話の挿入が簡単に行われ、且つ、カバー体に収容された携帯電話のカメラの部位に形成された透明体によりカメラが外部に透視されてカメラ機能が実現されるなど実用性を高めることができるという効果がある。
【図面の簡単な説明】
【００２０】
【図１】本発明の第１の実施形態に係る携帯電話用防水カバーの好適な形態を示す例示図。
【図２Ａ】本発明の第１の実施形態に係る携帯電話用防水カバーに携帯電話が収容される好適な形態を示す斜視図。
【図２Ｂ】本発明の第１の実施形態に係る携帯電話用防水カバーに携帯電話が収容される好適な形態を示す斜視図。
【図２Ｃ】本発明の第１の実施形態に係る携帯電話用防水カバーに携帯電話が収容される好適な形態を示す斜視図。
【図３】本発明の第１の実施形態に係る携帯電話が収容されたカバー体に粘着体が貼着される好適な形態を示す例示図。
【図４】本発明の第１の実施形態に係る粘着体に拡張体が形成されてカバー体に貼着される好適な形態を示す例示図。
【図５】本発明の第１の実施形態に係る粘着体に拡張体が形成されてカバー体に貼着される好適な形態を示す断面図。
【図６】本発明の第１の実施形態に係る携帯電話用防水カバーに穿設される収容孔の他の例を示す例示図。
【図７】本発明の第１の実施形態に係る携帯電話用防水カバーに穿設される他の例の収容孔に携帯電話が挿入される実施の形態を示す例示図。
【図８】本発明の第１の実施形態に係る他の例の収容孔に挿入された携帯電話を粘着体により密閉する形態を示す例示図。
【図９】本発明の第２の実施形態に係る携帯電話用防水カバーの好適な形態を示す例示図。
【図１０】本発明の第２の実施形態に係る携帯電話用防水カバーの好適な形態を示す断面図。
【図１１】本発明の第２の実施形態に係るカバー体の上に透明体が縫着される携帯電話用防水カバーの好適な形態を示す例示図。
【図１２】本発明の第２の実施形態に係るカバー体の上に透明体が縫着される携帯電話用防水カバーの好適な形態を示す断面図。
【図１３】本発明の第２の実施形態に係るカバー体の下側に透明体が縫着される携帯電話用防水カバーの好適な形態を示す断面図。
【図１４】本発明の第２の実施形態に係るカバー体に開放溝が多数凹設される好適な形態を示す断面図。
【図１５】本発明の第２の実施形態に係る収容孔および挿入孔の好適な形態を示す断面図。
【図１６Ａ】本発明の第２の実施形態に係る収容孔および挿入孔に携帯電話が収容される好適な形態を示す断面図。
【図１６Ｂ】本発明の第２の実施形態に係る収容孔および挿入孔に携帯電話が収容される好適な形態を示す断面図。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜第１の実施形態＞
図１は、本発明の第１の実施形態に係る携帯電話用防水カバーの好適な形態を示す例示図であり、図２のＡからＣは、本発明の第１の実施形態に係る携帯電話用防水カバーに携帯電話が収容される好適な形態を示す斜視図であり、図３は、本発明の第１の実施形態に係る携帯電話が収容されたカバー体に粘着体が貼着される好適な形態を示す例示図である。本発明に適用される通常の携帯電話用防水カバーは、携帯電話を防水材質の防水カバーに収容して、携帯電話が水に浸されたときに防水カバーにより水が携帯電話の内部に浸入することを防止するように構成される。
【００２３】
本発明に係る携帯電話用防水カバーは、第１及び第２の実施の形態としてそれぞれ構成され、本発明の第１の実施形態に係る携帯電話用防水カバーは、図１及び図３に示すように、大別して、携帯電話１が収容されるカバー体１０と、カバー体１０を密閉する粘着体３０と、を備える。
【００２４】
カバー体１０は、内部に携帯電話１が収容可能に携帯電話１の外形と同じ形状の空間が形成され、内部に収容される携帯電話１を密着して覆うようにポリウレタン材質からなり、上端面に携帯電話１が挿脱可能な収容孔２０が穿設される。
【００２５】
粘着体３０は、カバー体１０の上端面に繰り返し貼り剥がし可能であって収容孔２０の開閉を図るように構成される。より具体的には、粘着体３０の一方側はカバー体１０に継続的に固定され、粘着体３０の他方側のカバー体１０への貼り剥がしが繰り返し行われて収容孔２０を開閉する。
【００２６】
このため、粘着体３０のカバー体１０に対する貼り剥がしが行われて、収容孔２０を開放するときには携帯電話１の一方側を挿入してカバー体１０の端部に携帯電話１の端部を位置させ、携帯電話１の他方側を収容孔２０に挿入した後に、カバー体１０の他方側の端部に位置させて携帯電話１をカバー体１０に収容する。
【００２７】
このとき、カバー体１０はポリウレタン材質からなるため、収容孔２０が広く拡開され、且つ、カバー体１０そのものが弾性を有するため携帯電話１の挿入が一層容易になされる。
【００２８】
また、収容孔２０により携帯電話１がカバー体１０の内部に挿入される態様を説明すると、まず、図２のＡ及びＢに示すように、カバー体１０の収容孔２０を両側に広げて収容孔２０を拡張させ、携帯電話１の一方側の端部を収容孔２０に挿入した後に押し込んで収容孔２０の一方側に収容させ、収容孔２０を元に戻して挿入された携帯電話１の一方側を収容孔２０の一方側に収容する。
【００２９】
携帯電話１の一方側が収容孔２０の一方側に収容されれば、図２Ｃに示すように、携帯電話１の他方側を収容孔２０の他方側に挿入し、携帯電話１の他方側が収容孔２０に挿入されれば、カバー体１０を引っ張ることでカバー体１０内への携帯電話１の収容が完了する。
【００３０】
さらに、カバー体１０への携帯電話１の収容がなされると、粘着体３０をカバー体１０の上端面に貼着して収容孔２０を密閉する。
【００３１】
ポリウレタン材質からなるカバー体１０は、収容された携帯電話１を密着して覆うことにより携帯電話１のデザインが表出され、且つ、携行し易いため実用性を高めることができるという効果があり、携帯電話１とカバー体１０との間の離隔空間が発生しないため一層効率よい密閉がなされて水がカバー体１０の内部に浸入するような現象が防止されて携帯電話１の安定的な防水がなされる。
【００３２】
また、粘着体３０は、カバー体１０に繰り返し貼り剥がし可能に粘着剤を粘着体３０の下部に塗布することが好ましく、繰り返し貼り剥がし可能な粘着剤は公知の技術であるため、ここでは、粘着体３０に塗布される粘着剤についての詳細な説明は省く。
【００３３】
さらに、粘着体３０は、カバー体１０と同様にポリウレタン材質から形成されて、収容孔２０を圧着するときにカバー体１０に密着されることにより、密閉力を一層高めることができる。
【００３４】
ここで、図４及び図５に示すように、粘着体３０の下外側面に延設されて収容孔２０を開閉可能にカバー体１０の収容孔２０の外側部位に貼り剥がし可能なフィルム材質の拡張体４０が形成される。
【００３５】
拡張体４０により、カバー体１０に貼着されたときにフィルム固有の柔軟性により収容孔２０への密閉力を向上させてカバー体１０の内部への水の流入を効率よく遮断することができるという効果がある。
【００３６】
さらに、拡張体４０の下部には、粘着体３０と同様に粘着剤を塗布して、カバー体１０に対する貼り剥がしが繰り返し行われるようにすることが好ましい。
【００３７】
ここで、収容孔２０は、図６から図８に示すように、内側に湾曲した曲線部２３と、曲線部２３同士が遭遇する個所に形成される丸みを帯びた拡張部２５と、を備える。
【００３８】
また、収容孔２０により携帯電話１がカバー体１０の内部に挿入される態様を説明すれば、カバー体１０の収容孔２０の曲線部２３を両側に広げて収容孔２０を拡開させ、携帯電話１の一方側の端部を収容孔２０の拡張部２５に挿入した後に押し込んで収容孔２０の一方側に収容させ、携帯電話１の他方側を収容孔２０の他方側の拡張部２５に挿入してカバー体１０の内部への携帯電話１の収容が完了する。
【００３９】
このため、曲線部２３が内側に湾曲した形状を呈して、曲線部２３の湾曲分だけ粘着体３０のカバー体１０の上端面への粘着面積が広くなって粘着体３０のカバー体１０への粘着力が向上してカバー体１０の内部を一層安全に密閉することができ、収容孔２０の拡張部２５により、携帯電話１をカバー体１０に収容するためにカバー体１０に力を加えるときに拡張部２５が拡張されて、携帯電話１のカバー体１０への挿入が容易に行われる。また、カバー体１０の力を抜くと、拡張部２５は元の広さに戻って粘着剤がカバー体１０に貼着してカバー体１０の内部が密閉されることにより、カバー体１０の内部に水が浸入することが防止される。
【００４０】
＜第２の実施形態＞
ここで、本発明に係る携帯電話用防水カバーの第２の実施形態は、大別して、携帯電話１が収容されるカバー体１１０と、カバー体１１０に収容された携帯電話１がカメラ機能を行うように外部が透視可能な透明体１２０と、カバー体１１０を密閉する粘着体１３０と、を備える。
【００４１】
図９及び図１０に示すように、カバー体１１０は、携帯電話１の外形とほとんど同様に形成されて内部に携帯電話１を収容可能に構成され、携帯電話１を収容するときに携帯電話１の表面にくっつかないようにエンボス模様１１１が陰刻形状で刻まれ、上端面に対して携帯電話１が挿脱可能に収容孔１１３が穿設される。
【００４２】
カバー体１１０に陰刻形状で刻まれたエンボス模様１１１は、携帯電話１とカバー体１１０とを離隔させて携帯電話１にカバー体１１０がくっつかないものの、エンボス模様１１１そのものが不透明であるため外部が透視されない結果、携帯電話１のカメラ機能が実現されなくなる恐れがあるため、カバー体１１０に包まれた携帯電話１に形成されるカメラの部位に外部が透視可能な透明材質の透明体１２０を形成して携帯電話１をカバー体１１０に収容してもカメラ機能を使用できるようにする。
【００４３】
粘着体１３０は、カバー体１１０に穿設された収容孔１１３の上端面への貼り剥がしが繰り返し行われて、収容孔１１３の開閉を図るように構成されて、粘着体１３０のカバー体１１０への貼り剥がしが行われて収容孔１１３が開放されるときには携帯電話１の一方側を挿入してカバー体１１０の端部に携帯電話１の端部を位置させ、携帯電話１の他方側を収容孔１１３に挿入した後にカバー体１１０の他方側の端部に位置させて携帯電話１をカバー体１１０に収容させ、携帯電話１がカバー体１１０内に収容されれば、粘着体１３０を収容孔１１３に貼着してカバー体１１０の内部を密閉する。
【００４４】
ここで、第２の実施形態によるカバー体１１０に透明体１２０が形成される他の形態を説明すれば、図１１及び図１２に示すように、内部に携帯電話１が収容可能な空間が形成されてエンボス模様１１１が陰刻形状で刻まれ、上端面に携帯電話１が収容される収容孔１１３が穿設されたカバー体１１０の上側に、外部が透視可能な透明材質から形成され、カバー体１１０の外形と同様に携帯電話１が挿脱可能な形状を有し、カバー体１１０の収容孔１１３と同じ形状の挿入孔１２３が穿設される透明体１２０を形成し、透明体１２０はカバー体１１０の外側に縫着される。
【００４５】
また、カバー体１１０は内部に収容された携帯電話１のカメラの部位に、カメラが外部を透視可能に開放される開放溝１１８が凹設される。
【００４６】
さらに、透明体１２０に穿設された挿入孔１２３の上端面への粘着体１３０の貼り剥がしが繰り返し行われて透明体１２０の挿入孔１２３を開閉する。
【００４７】
このため、携帯電話１のカメラの部位に凹設された開放溝１１８により、カメラが透明体１２０を介して外部を透視することができてカメラ機能をも実現することができ、且つ、携帯電話１の防水機能はもちろん、エンボス模様１１１付きカバー体１１０により収容された携帯電話１にカバー体１１０がくっつかなくなる結果、カバー体１１０への携帯電話１の挿入が簡単に行われて実用性を高めることができるという効果がある。
【００４８】
さらに、カバー体１１０および透明体１２０はポリウレタン材質から形成されるため、収容孔１１３および挿入孔１２３が拡開され、且つ、カバー体１１０および透明体１２０そのものが弾性を有するため携帯電話の挿脱が容易に行われる。
【００４９】
ここで、携帯電話１の種類によってカメラが携帯電話１の両側または上下側のうちどちらか一方側に形成される場合に備えて、図１３に示すように、カバー体１１０の下側に収容された携帯電話１に形成されるカメラの部位に開放される開放溝１１８が凹設され、外部が透視可能な透明材質からなる透明体１２０もまたカバー体１１０の下側に縫着されるように構成して、携帯電話１の下側においても開放溝１１８を介してカバー体１１０の下側に縫着された透明体１２０を通じて外部を透視してカメラの機能を実現する。
【００５０】
さらに、図１４に示すように、携帯電話１の種類および携帯電話１の機能によってカメラの位置はそれぞれ異なってくるため、開放溝１１８はカバー体１１０の表面に多数凹設される。
【００５１】
ここで、図１５に示すように、カバー体１１０および透明体１２０は縫合されるため、携帯電話１を挿入するように穿設されたカバー体１１０の収容孔１１３および透明体１２０の挿入孔１２３は互いに同じ形状を有するように形成される。具体的に、カバー体１１０の収容孔１１３および透明体１２０の挿入孔１２３は、内側に湾曲した曲線部１１４、１２４と、曲線部１１４、１２４同士が遭遇する部位に形成される丸みを帯びた拡張部１１５、１２５と、をそれぞれ備える。
【００５２】
収容孔１１３および挿入孔１２３により携帯電話１が透明体１２０を介してカバー体１１０の内部に挿入される態様を説明すれば、図１６のＡ及びＢに示すように、透明体１２０に穿設される挿入孔１２３の曲線部１２４およびカバー体１１０に穿設される収容孔１１３の曲線部１１４をそれぞれ両側に広げて収容孔１１３および挿入孔１２３を拡開させ、携帯電話１の一方側の端部を挿入孔１２３の拡張部１２５および収容孔１１３の拡張部１１５に挿入した後に押し込んで収容孔１１３および挿入孔１２３の一方側に収容させ、携帯電話１の他方側を収容孔１１３および挿入孔１２３の他方側の拡張部１１５、１２５にそれぞれ挿入してカバー体１１０内への携帯電話１の収容が完了する。
【００５３】
これにより、曲線部１１４、１２４が内側に湾曲した形状を呈して、曲線部１１４、１２４の湾曲分だけ粘着体１３０のカバー体１１０の上端面への粘着面積が広くなって粘着体１３０のカバー体１１０への粘着力が向上してカバー体１１０の内部を一層安全に密閉することができ、収容孔２０の拡張部２５により、携帯電話１をカバー体１１０に収容するためにカバー体１１０および透明体１２０に力を加えるときに拡張部１１５、１２５が拡張されて、携帯電話１のカバー体１１０への挿入が容易に行われる。また、カバー体１１０および透明体１２０の力を抜くと、拡張部１１５、１２５は元の広さに戻って粘着剤１３０がカバー体１１０に貼着してカバー体１１０の内部が密閉されることにより、カバー体１１０の内部に水が浸入することが防止される結果、携帯電話１の防水機能を行うことが可能になる。
【符号の説明】
【００５４】
１：携帯電話、
１０：カバー体、
２０：収容孔、
２３：曲線部、
２５：拡張部、
３０：粘着体、
４０：拡張体、
１１０：カバー体、
１１１：エンボス模様、
１１３：収容孔、
１１４：曲線部、
１１５：拡張部、
１１８：開放溝、
１２０：透明体、
１２３：挿入孔、
１２４：曲線部、
１２５：拡張部、
１３０：粘着体、
【図１】
0005467195.tif 000002
【図２Ａ】
0005467195.tif 000003
【図２Ｂ】
0005467195.tif 000004
【図２Ｃ】
0005467195.tif 000005
【図３】
0005467195.tif 000006
【図４】
0005467195.tif 000007
【図５】
0005467195.tif 000008
【図６】
0005467195.tif 000009
【図７】
0005467195.tif 000010
【図８】
0005467195.tif 000011
【図９】
0005467195.tif 000012
【図１０】
0005467195.tif 000013
【図１１】
0005467195.tif 000014
【図１２】
0005467195.tif 000015
【図１３】
0005467195.tif 000016
【図１４】
0005467195.tif 000017
【図１５】
0005467195.tif 000018
【図１６Ａ】
0005467195.tif 000019
【図１６Ｂ】
0005467195.tif 000020